(57)【要約】【課題】本発明は、移動可能なキーパッドを備える携帯端末機に関する。【解決手段】本発明の携帯端末機は、本体、タッチスクリーン、固定キーパッド、移動キーパッドを含む。移動キーパッドは、固定キーパッドとタッチスクリーン上で移動可能である。本発明によると、移動キーパッドを備えることによって、キーを入力するときの感覚が向上され、タッチスクリーンを実装する空間を広く確保することができる。【選択図】図１
2009239906.tif 000002
【特許請求の範囲】
【請求項１】
本体と、
前記本体の一面に位置するタッチスクリーンと、
前記本体の一面で前記タッチスクリーンの隣に位置する固定キーパッドと、
前記固定キーパッドと前記タッチスクリーン上で移動可能な移動キーパッドと、
を含むことを特徴とする携帯端末機。
【請求項２】
前記本体は前記タッチスクリーンと前記固定キーパッドに沿って平行にスライド溝が形成され、
前記移動キーパッドは前記スライド溝に沿って移動するリブを側面に備えることを特徴とする請求項１に記載の携帯端末機。
【請求項３】
前記固定キーパッドは数字キー備え、
前記移動キーパッドは方向キー及び少なくとも一つの機能キーを備えることを特徴とする請求項２に記載の携帯端末機。
【請求項４】
前記リブは、終端に前記本体の内側方向に形成された離脱防止部を備えることを特徴とする請求項２に記載の携帯端末機。
【請求項５】
前記移動キーパッドは、外部に露出される面に位置するキーと、前記キーが位置する面と反対の面に前記キーに対応する突起とをさらに備えることを特徴とする請求項２に記載の携帯端末機。
【請求項６】
前記本体は、前記移動キーパッドの位置を感知する位置感知部を備えることを特徴とする請求項２に記載の携帯端末機。
【請求項７】
前記本体は、前記移動キーパッドの位置に応じて前記タッチスクリーンと前記固定キーパッドから入力される信号を制御する制御部をさらに備えることを特徴とする請求項６に記載の携帯端末機。
【請求項８】
前記移動キーパッドは、前記固定キーパッドが外部から見えない第１位置と、前記固定キーパッドが外部に完全に露出される第２位置との間を移動し、
前記移動キーパッドのリブは、前記本体と接するある一面にリブ磁石を備え、
前記本体は、前記移動キーパッドが前記第１位置及び前記第２位置にある場合において前記リブ磁石と接する位置に各々固定磁石を備えることを特徴とする請求項７に記載の携帯端末機。
【請求項９】
前記本体は、バー（Ｂａｒ）状であることを特徴とする請求項１に記載の携帯端末機。
【請求項１０】
第１入力部と前記第１入力部と隣接して位置するタッチスクリーンとを備え、前記第１入力部と前記タッチスクリーンとは互いに相対的位置に固定される本体と、
前記本体に移動可能に結合され、前記第１入力部を完全に覆う第１位置と、前記タッチスクリーンの一部を覆って前記第１入力部を完全に露出する第２位置とを移動する第２入力部と、
を含むことを特徴とする携帯端末機。
【請求項１１】
前記第２入力部は、前記本体にスライド移動可能に結合されることを特徴とする請求項１０に記載の携帯端末機。
【請求項１２】
前記本体は、前記タッチスクリーンと前記第１入力部に沿って平行にスライド溝が形成され、
前記第２入力部は、前記スライド溝に沿って移動するリブを側面に備えることを特徴とする請求項１１に記載の携帯端末機。
【請求項１３】
前記リブは、終端に前記本体の内側方向に形成された離脱防止部を備えることを特徴とする請求項１２に記載の携帯端末機。
【請求項１４】
前記第１入力部と前記第２入力部とは、各々キーパッドからなることを特徴とする請求項１０に記載の携帯端末機。
【請求項１５】
前記第２入力部は、外部に露出される面に位置するキーと、前記キーが位置する面と反対の面に前記キーに対応する突起とをさらに備えることを特徴とする請求項１４に記載の携帯端末機。
【請求項１６】
前記本体は、前記第２入力部の位置を感知する位置感知部を備えることを特徴とする請求項１２に記載の携帯端末機。
【請求項１７】
前記本体は、前記第２入力部の位置に応じて前記タッチスクリーンと前記第１入力部から入力される信号を制御する制御部をさらに備えることを特徴とする請求項１６に記載の携帯端末機。
【請求項１８】
前記第２入力部は、前記第１入力部が外部から見えない前記第１位置と、前記第１入力部が外部に完全に露出される前記第２位置との間を移動し、
前記第２入力部のリブは、前記本体と接するある一面にリブ磁石を備え、
前記本体は、前記第２入力部が前記第１位置及び前記第２位置にある場合において前記リブ磁石と接する位置に各々固定磁石を備えることを特徴とする請求項１７に記載の携帯端末機。
【請求項１９】
前記本体は、バー（Ｂａｒ）状であることを特徴とする請求項１０に記載の携帯端末機。
【発明の詳細な説明】
【技術分野】
【０００１】
本発明は、携帯端末機に関し、具体的には、タッチスクリーンと固定キーパッド上で移動可能な移動キーパッドを備える携帯端末機に関する。
【背景技術】
【０００２】
携帯端末機とは、ユーザが時間や場所にとらわれず自由に通信できる電子機器である。最近の携帯端末機は、単純な通信機能だけでなくインターネットへの接続、デジタル放送受信等の様々な機能が行えるように開発されている。さらに、携帯端末機に文書作成、ゲーム等の機能も追加されている。携帯端末機が、このように多様な機能を行うためには多数のキーが必要である。しかし、携帯端末機は携帯の便利さのためサイズに制限があるので、多くのキーを実装することができない。このような問題を解決するため、タッチスクリーンが携帯端末機に適用されている。
【０００３】
タッチスクリーン（ｔｏｕｃｈ ｓｃｒｅｅｎ）は、キーを使わず、スクリーンの特定の位置に手や物体が接触すると、その位置を把握し、格納されているソフトウェアによって特定の処理ができるようにした、入力と出力が同時にできる装置である。タッチスクリーンは、一般のスクリーンにタッチパネル（ｔｏｕｃｈ ｐａｎｅｌ）を取り付けた構成である。タッチパネルは、上下左右に赤外線を流し、画面に数多くの四角形格子を形成する。この格子に指先や物体が接触するとその位置が把握できる。
【０００４】
タッチスクリーンは、スクリーン上に表示されるキーを状況によって変更できるため、キーの数を増やさなくても携帯端末機の操作ができるのである。しかし、タッチスクリーンは、一般のキーパッドに比べて、ユーザが操作している感覚が薄いため、感覚的に操作しにくいという問題がある。
【発明の概要】
【発明が解決しようとする課題】
【０００５】
本発明の目的は、キー入力時の感覚が向上され、ユーザが感覚的に操作できるキーパッドを備える携帯端末機を提供することにある。
【０００６】
さらに、携帯端末機内でのタッチスクリーンを実装できる空間を広く確保することにある。
【課題を解決するための手段】
【０００７】
上記のような目的を達成するために、本発明の一態様に係る携帯端末機は、本体、タッチスクリーン、固定キーパッド、移動キーパッドを含む。タッチスクリーンは本体の一面に位置する。固定キーパッドは、本体の一面においてタッチスクリーンの隣に位置する。移動キーパッドは、固定キーパッドとタッチスクリーン上で移動することができる。
【０００８】
固定キーパッドは数字キーを備え、移動キーパッドは方向キー及び機能キーを備えることができる。
【０００９】
本体には、タッチスクリーンと固定キーパッドに沿って平行にスライド溝を形成することができる。移動キーパッドは、スライド溝に沿って移動するリブを側面に備えることができる。リブは、終端に本体の内側方向に形成された離脱防止部を備えることができる。
【００１０】
本体は、移動キーパッドの位置を感知する位置感知部を備えることができる。本体は、移動キーパッドの位置に応じてタッチスクリーンと固定キーパッドから入力される信号を制御する制御部をさらに備えることができる。
【００１１】
移動キーパッドは、第１位置と第２位置との間を移動することができる。第１位置は、移動キーパッドが固定キーパッド上に位置し、固定キーパッドが外部から見えない位置であり、第２位置は、移動キーパッドがタッチスクリーン上に位置し、固定キーパッドが外部に完全に露出される位置である。移動キーパッドのリブは、本体と接するある一面にリブ磁石を備えることができる。本体は、移動キーパッドが第１位置及び第２位置にある場合にリブ磁石と接する位置に、各々固定磁石を備えることができる。
【００１２】
本体はバー（ｂａｒ）状であることができる。
【００１３】
本発明の他の態様に係る携帯端末機は、本体と、第２入力部と、を含む。本体は、第１入力部と、第１入力部と隣接して位置するタッチスクリーンとを備える。第１入力部とタッチスクリーンとは互いに相対的位置に固定される。第２入力部は、本体に移動可能に結合され、第１入力部を完全に覆う第１位置と、タッチスクリーンの一部を覆って第１入力部を完全に露出する第２位置とを移動する。
【００１４】
第２入力部は、本体にスライド移動可能に結合されることができる。
【００１５】
本体は、タッチスクリーンと第１入力部に沿って平行にスライド溝が形成され、第２入力部は、スライド溝に沿って移動するリブを側面に備えることができる。
【００１６】
リブは、終端に本体の内側方向に形成された離脱防止部を備えることができる。
【００１７】
第１入力部と第２入力部とは、各々キーパッドからなることができる。
【００１８】
第２入力部は、外部に露出される面に位置するキーと、キーが位置する面と反対の面にキーに対応する突起とをさらに備えることができる。
【００１９】
本体は、第２入力部の位置を感知する位置感知部を備えることができる。
【００２０】
本体は、第２入力部の位置に応じてタッチスクリーンと第１入力部から入力される信号を制御する制御部をさらに備えることができる。
【００２１】
第２入力部は、第１入力部が外部から見えない第１位置と、第１入力部が外部に完全に露出される第２位置との間を移動するようにできる。第２入力部のリブは、本体と接するある一面にリブ磁石を備え、本体は、第２入力部が第１位置及び第２位置にある場合においてリブ磁石と接する位置に各々固定磁石を備えることができる。
【００２２】
本体は、バー状であることができる。
【発明の効果】
【００２３】
本発明は、ユーザが移動キーパッドを用いて携帯端末機を操作することによって、キー入力時の感覚が向上し、感覚的に操作することができる。
【００２４】
また、移動キーパッドがタッチスクリーンと固定キーパッドとの間を移動することができるため、携帯端末機内にタッチスクリーンを実装できる空間を広く確保することができる。
【図面の簡単な説明】
【００２５】
【図１】本発明の実施形態に係る移動キーパッドを含む携帯端末機が作動した状態を示す図面である。
【図２】本発明の実施形態に係る移動キーパッドを示す図面である。
【図３】本発明の実施形態に係る本体の上部ケースと下部ケースとを示す図面である。
【図４】本発明の実施形態に係る携帯端末機を分解して示す図面である。
【図５】本発明の実施形態に係る携帯端末機の構成を示すブロック図である。
【発明を実施するための形態】
【００２６】
以下、本発明の属する技術分野における通常の知識を有する者が、本発明を容易に実施できるような本発明の好ましい実施形態を、添付された図面を参照しながら詳細に説明する。
【００２７】
実施形態を説明するにあたって、本発明の属する技術分野においてすでに十分知られており、本発明と直接関連のない技術内容に関しては説明を省略する。これは不要な説明を省略することによって本発明の要旨をより明確にするためである。
【００２８】
同じ理由で、添付図面における一部の構成要素は、誇張または省略し概略的に示している。さらに、各構成要素のサイズは実際のサイズを反映していない。各図面において、同一または対応する構成要素には同一の参照番号を付してある。
【００２９】
図１は、本発明の実施形態に係る移動キーパッドを含む携帯端末機１００が作動した状態を示している。
【００３０】
図１の（ａ）と（ｂ）に示すように、携帯端末機１００は、本体２００、タッチスクリーン３００、固定キーパッド４００、移動キーパッド５００を含む。本体２００はバー（ｂａｒ）状である。本体２００の一面にはタッチスクリーン３００が位置する。固定キーパッド４００はタッチスクリーン３００が実装された本体２００の一面と同一の面に位置する。固定キーパッド４００はタッチスクリーン３００の隣に位置する。固定キーパッド４００とタッチスクリーン３００とは互いに相対的位置に固定されている。本体２００には、タッチスクリーン３００と固定キーパッド４００に沿って平行にスライド溝２３０が形成される。移動キーパッド５００は、スライド溝２３０に沿って固定キーパッド４００とタッチスクリーン３００上を移動する。本実施形態において、固定キーパッド４００は数字または文字を入力するためのキーを備え、移動キーパッド５００は方向キー、及び、通話、メール入力の転換キー、インターネット接続キー等の機能キーを備える。固定キーパッド４００と移動キーパッド５００が備えるキーは、携帯端末機１００のデザインまたは使用目的等によって変わることもある。
【００３１】
携帯端末機１００のタッチスクリーン３００を広く使いたい場合には、図１の(a)に示すように、移動キーパッド５００を第１位置に位置させることができる。第１位置は、移動キーパッド５００が固定キーパッド４００を全部覆って外部から固定キーパッド４００が見えなくなる位置をいう。この場合、ユーザは、携帯端末機１００のタッチスクリーン３００に表示されたアイコン等を手またはタッチスクリーン用ペン等で接触し、携帯端末機１００を操作することができる。
【００３２】
ユーザが精密な操作をしたり、文字または数字を入力しようとする場合には、図１の（ｂ）に示すように、移動キーパッド５００をスライドさせ第２位置に位置させることができる。第２位置は、移動キーパッド５００がタッチスクリーン３００を覆って固定キーパッド４００が完全に外部に露出される位置をいう。この場合、固定キーパッド４００が外部に露出されるため、ユーザは固定キーパッド４００を用いて携帯端末機１００を操作することができる。ユーザが固定キーパッド４００を用いて携帯端末機１００を操作すると、タッチスクリーン３００を利用するより操作感(またはタッチ感)が向上する。
【００３３】
図２は、本発明の実施形態に係る移動キーパッドを示している。
【００３４】
図２の（ａ）に示すように、移動キーパッド５００は外部に露出される面に方向キー及び機能キーを備える。移動キーパッド５００は、側面に移動キーパッド５００と垂直に形成されたリブ５１０を備える。本実施形態では、リブ５１０が移動キーパッド５００の両側面に形成されるが、他の実施形態では、一側面にのみ形成されることもある。リブ５１０は、本体２００に形成されたスライド溝２３０に沿って移動する。リブ５１０は、終端に本体２００の内側方向に形成された離脱防止部５２０を備えることができる。離脱防止部５２０はリブ５１０の形成方向と垂直に形成することができる。離脱防止部５２０は、移動キーパッド５００がスライド溝２３０に沿って移動する際、本体２００から離脱されることを防止する。
【００３５】
移動キーパッド５００は、図２の（ｂ）に示すように、外部に露出される面と反対の面に突起５３０を備える。突起５３０は、移動キーパッド５００に備えられるキーと対応する位置に形成される。ユーザが移動キーパッド５００のキーを押すと、突起５３０がタッチスクリーン３００または固定キーパッド４００を押すことになり、これによって携帯端末機１００の回路に信号が伝達される。
【００３６】
移動キーパッド５００のリブ５１０には、リブ磁石５４０が配置されることができる。本実施形態では、リブ磁石５４０がリブ５１０の離脱防止部５２０に配置されているが、これに限定されない。
【００３７】
図３は、本発明の実施形態に係る本体の上部ケースと下部ケースを示している。
【００３８】
図３に示すように、携帯端末機１００の本体２００は、上部ケース２１０と下部ケース２２０とを備えることができる。他の実施形態では、本体２００を一つのケースにすることもできる。上部ケース２１０には、タッチスクリーン３００と固定キーパッド４００とが位置する。スライド溝２３０は、タッチスクリーン３００と固定キーパッド４００に沿って平行に形成される。本実施形態において、タッチスクリーン３００と固定キーパッド４００とを一つのタッチパネルから形成することもできる。
【００３９】
下部ケース２２０には、ＰＣＢ（Ｐｒｉｎｔｅｄ Ｃｉｒｃｕｉｔ Ｂｏａｒｄ）のような携帯端末機１００の回路を実装することができる。さらに、下部ケース２２０には、移動キーパッド５００のリブ５１０と接する面に固定磁石２４０が位置する。固定磁石２４０は、移動キーパッド５００が第１位置にある場合に移動キーパッド５００のリブ磁石５４０と接する第１固定磁石２４１と、移動キーパッド５００が第２位置にある場合に移動キーパッド５００のリブ磁石５４０と接する第２固定磁石２４２とを含む。本実施形態では、固定磁石２４０が下部ケース２２０に位置するが、他の実施形態では移動キーパッド５００のリブ磁石５４０の位置によって固定磁石２４０の位置も変わる。
【００４０】
図４は、本発明の実施形態に係る携帯端末機を分解して示している。
【００４１】
図４に示すように、移動キーパッド５００はスライド溝２３０に沿って移動する。移動キーパッド５００のリブ磁石５４０は、第１位置で第１固定磁石２４１と接する。移動キーパッド５００が第２位置に移動すると、リブ磁石５４０は第２固定磁石２４２と接する。リブ磁石５４０と固定磁石２４０とは互いに反対の極を有するため、互いに引力が作用する。そのため、移動キーパッド５００が第１位置または第２位置で動かずに固定される。
【００４２】
図５は、本発明の実施形態に係る携帯端末機の構成を示すブロック図である。
【００４３】
図５に示すように、携帯端末機１００は、本体２００、タッチスクリーン３００、固定キーパッド４００、移動キーパッド５００を含む。本体２００は、位置感知部６００、制御部７００、無線通信部８００を含む。位置感知部６００は移動キーパッド５００の位置を感知する。位置感知部６００は、位置感知センサにすることができ、他の実施形態では、本体２００に備えられた固定磁石２４０を位置感知部６００にすることができる。固定磁石２４０を位置感知部６００として利用する場合には、どの位置にある固定磁石２４０にリブ磁石５４０が接触するのかを感知し、移動キーパッド５００の位置を把握することができる。
【００４４】
制御部７００は、位置感知部６００から移動キーパッド５００の位置を伝送される。制御部７００は、移動キーパッド５００の位置に応じてタッチスクリーン３００と固定キーパッド４００から入力される信号を制御する。移動キーパッド５００が第１位置にあれば、制御部７００は、タッチスクリーン３００全体から入力される信号をタッチスクリーン３００の信号と判断し、固定キーパッド４００から入力される信号を移動キーパッド５００の信号と判断する。移動キーパッド５００が第２位置にあれば、制御部７００は、タッチスクリーン３００中、移動キーパッド５００によって隠された部分から入力される信号を移動キーパッド５００の信号と判断し、固定キーパッド４００から入力される信号を固定キーパッド４００の信号と判断する。また、制御部７００は、タッチスクリーン３００中、露出された部分のみを携帯端末機１００の表示部として使用できるように制御する。
【００４５】
無線通信部８００は、携帯端末機１００の無線通信を行う。無線通信部８００は、通信網を介して無線信号を送信または受信することができる。携帯端末機１００は、無線通信部８００を介して音声通話、メールの送受信、データ通信等ができる。
【００４６】
本発明の実施形態に係る携帯端末機とは、携帯電話、ＰＤＡ（Ｐｅｒｓｏｎａｌ Ｄｉｇｉｔａｌ Ａｓｓｉｓｔａｎｔ）、ナビゲーション（ｎａｖｉｇａｔｉｏｎ）、デジタル放送受信機、ＰＭＰ（Ｐｏｒｔａｂｌｅ Ｍｕｌｔｉｍｅｄｉａ Ｐｌａｙｅｒ）等のような携帯用電子機器装置をいう。
【００４７】
以上のように、本明細書と図面には、本発明の好ましい実施形態について開示しており、特定の用語を使用してはいるが、これは単に本発明の技術内容を分かりやすく説明するためであって、本発明の範囲を限定するものではない。ここに開示された実施形態以外にも、本発明の技術的思想に基づく他の変形例が実施可能であることは、本発明の属する技術分野における通常の知識を有する者にとって自明なことである。
【産業上の利用可能性】
【００４８】
本発明は、キー入力時の感覚が向上され、ユーザが感覚的に操作できる効果を有し、携帯端末機として有用である。
【図１】
2009239906.tif 000003
【図２】
2009239906.tif 000004
【図３】
2009239906.tif 000005
【図４】
2009239906.tif 000006
【図５】
2009239906.tif 000007